(57)【要約】  通過帯域外の減衰特性に優れた弾性波フィルタ装置を提供する。  弾性波フィルタ装置１は、圧電基板２０の上に配されており、弾性波フィルタ部２１〜２４を構成しているフィルタ電極部２１ａ〜２４ａを備えている。入力信号配線４１，４３は、出力信号配線５１ａ、５２ｂと隣接している隣接部４１ａ、４３ａを有する。隣接部４１ａ、４３ａと出力信号配線５１ａ、５２ｂとの間の距離よりも、隣接部４１ａ、４３ａと、グラウンド電位に接続されるグラウンド配線６１，６２との間の距離の方が短い。
2013008494.tif 000002
【特許請求の範囲】
【請求項１】
入力端子及び出力端子と、
前記入力端子と前記出力端子との間に接続された弾性波フィルタ部と、
を備える弾性波フィルタ装置であって、
圧電基板と、
前記圧電基板の上に配されており、前記入力端子を構成している入力パッド電極と、
前記圧電基板の上に配されており、前記出力端子を構成している出力パッド電極と、
前記圧電基板の上に配されており、前記弾性波フィルタ部を構成しているフィルタ電極部と、
前記圧電基板の上に配されており、前記フィルタ電極部と前記入力パッド電極とを接続している入力信号配線と、
前記圧電基板の上に配されており、前記フィルタ電極部と前記出力パッド電極とを接続している出力信号配線と、
前記圧電基板の上に配されており、グラウンド電位に接続されるグラウンド配線と、
を備え、
前記入力信号配線は、前記出力信号配線と隣接している隣接部を有し、
前記隣接部と前記出力信号配線との間の距離よりも、前記隣接部と前記グラウンド配線との間の距離の方が短い、弾性波フィルタ装置。
【請求項２】
前記グラウンド配線は、前記隣接部と重畳するように配されており、
前記グラウンド配線と前記隣接部とを絶縁している絶縁層をさらに備える、請求項１に記載の弾性波フィルタ装置。
【請求項３】
前記フィルタ電極部は、弾性波伝搬方向に沿って配列された複数のＩＤＴ電極を有し、前記弾性波フィルタ部は平衡−不平衡変換機能を有するフィルタ部であり、
前記出力パッド電極は、２つの平行出力パッド電極を含む、請求項１または２に記載の弾性波フィルタ装置。
【請求項４】
前記入力パッド電極は、第１及び第２の入力パッド電極を含み、
前記出力パッド電極は、第１及び第２の出力パッド電極を含み、
前記フィルタ電極部は、前記第１の入力パッド電極と前記第１の出力パッド電極との間に接続された第１のフィルタ電極部と、前記第２の入力パッド電極と前記第２の出力パッド電極との間に接続された第２のフィルタ電極部とを含み、
前記圧電基板は、矩形状であり、
前記第１及び第２の入力パッド電極は、前記圧電基板の対向する２つの端辺の一方側の端辺に沿って配列されている一方、前記第１及び第２の出力パッド電極は、他方側の端辺に沿って配列されている、請求項１〜３のいずれか一項に記載の弾性波フィルタ装置。
【発明の詳細な説明】
【技術分野】
【０００１】
本発明は、弾性波フィルタ装置に関し、特に、１枚の圧電基板を用いて複数のフィルタ部を構成したマルチバンド弾性波フィルタ装置に関する。
【背景技術】
【０００２】
近年、携帯電話機の小型化、マルチバンド化が進むなかで、携帯電話機のＲＦ回路に使用される弾性波フィルタ装置の小型化、マルチバンド化が求められている。弾性波フィルタ装置を小型化、マルチバンド化する方策として、一枚の圧電基板を用いて複数の弾性波フィルタ部を構成することが考えられる。しかしながら、この場合は、配線の引き回しが複雑になり、配線の一部が近接して寄生容量が発生する。例えば、入力信号が流れる入力信号配線と、出力信号が流れる出力信号配線とが近接すると、入力信号配線と出力信号配線との間に形成された寄生容量を介して入力側から出力側に不要な信号が漏洩する。その結果、漏洩した信号により弾性波フィルタ装置の通過帯域外の減衰特性が悪化することがある。【０００３】
配線間に形成される寄生容量を小さくする方法としては、例えば特許文献１に記載されているように、配線の下に圧電基板よりも誘電率が低い絶縁層を形成する方法が考えられる。特許文献１では、具体的には、グラウンド配線と出力側信号配線との間に絶縁層を介在させている。これにより、グラウンド配線と出力側信号配線との間に発生する寄生容量が低減され、通過帯域外の減衰特性が改善されている。
【先行技術文献】
【特許文献】
【０００４】
【特許文献１】特開２００４−２８２７０７号公報
【発明の概要】
【発明が解決しようとする課題】
【０００５】
しかしながら、２つの配線が長距離にわたって近接している場合などにおいては、配線間に絶縁層を介在させるだけでは、通過帯域外の減衰特性を十分に改善できない場合がある。なお、この問題は、マルチバンド弾性波フィルタ装置以外の弾性波フィルタ装置にも共通した問題である。【０００６】
本発明は、通過帯域外の減衰特性に優れた弾性波フィルタ装置を提供することを主な目的とする。
【課題を解決するための手段】
【０００７】
本発明に係る弾性波フィルタ装置は、入力端子及び出力端子と、弾性波フィルタ部とを備える弾性波フィルタ装置である。弾性波フィルタ部は、入力端子と出力端子との間に接続されている。本発明に係る弾性波フィルタ装置は、圧電基板と、入力パッド電極と、出力パッド電極と、フィルタ電極部と、入力信号配線と、出力信号配線と、グラウンド配線とを備えている。入力パッド電極は、圧電基板の上に配されている。入力パッド電極は、入力端子を構成している。出力パッド電極は、圧電基板の上に配されている。出力パッド電極は、出力端子を構成している。フィルタ電極部は、圧電基板の上に配されている。フィルタ電極部は、弾性波フィルタ部を構成している。入力信号配線は、圧電基板の上に配されている。入力信号配線は、フィルタ電極部と入力パッド電極とを接続している。出力信号配線は、圧電基板の上に配されている。出力信号配線は、フィルタ電極部と出力パッド電極とを接続している。グラウンド配線は、圧電基板の上に配されている。グラウンド配線は、グラウンド電位に接続される。入力信号配線は、出力信号配線と隣接している隣接部を有する。隣接部と出力信号配線との間の距離よりも、隣接部とグラウンド配線との間の距離の方が短い。【０００８】
本発明に係る弾性波フィルタ装置のある特定の局面では、グラウンド配線は、隣接部と重畳するように配されており、本発明に係る弾性波フィルタ装置は、グラウンド配線と隣接部とを絶縁している絶縁層をさらに備える。【０００９】
本発明に係る弾性波フィルタ装置の別の特定の局面では、フィルタ電極部は、弾性波伝搬方向に沿って配列された複数のＩＤＴ電極を有する。弾性波フィルタ部は平衡−不平衡変換機能を有するフィルタ部である。出力パッド電極は、２つの平行出力パッド電極を含む。【００１０】
本発明に係る弾性波フィルタ装置の他の特定の局面では、入力パッド電極は、第１及び第２の入力パッド電極を含む。出力パッド電極は、第１及び第２の出力パッド電極を含む。フィルタ電極部は、第１の入力パッド電極と第１の出力パッド電極との間に接続された第１のフィルタ電極部と、第２の入力パッド電極と第２の出力パッド電極との間に接続された第２のフィルタ電極部とを含む。圧電基板は、矩形状である。第１及び第２の入力パッド電極は、圧電基板の対向する２つの端辺の一方側の端辺に沿って配列されている一方、第１及び第２の出力パッド電極は、他方側の端辺に沿って配列されている。
【発明の効果】
【００１１】
本発明によれば、通過帯域外の減衰特性に優れた弾性波フィルタ装置を提供することができる。
【図面の簡単な説明】
【００１２】
【図１】図１は、本発明の一実施形態に係る弾性波フィルタ装置の略図的断面図である。
【図２】図２は、本発明の一実施形態における弾性波フィルタチップの略図的平面図である。
【図３】図３は、比較例における弾性波フィルタチップの略図的平面図である。
【図４】図４は、第１の入力パッド電極３１ａから平衡出力パッド電極３２ａ１へ信号を印加した場合の挿入損失を示すグラフである。
【図５】図５は、第１の入力パッド電極３１ａから平衡出力パッド電極３２ａ２へ信号を印加した場合の挿入損失を示すグラフである。
【図６】図６は、平衡出力パッド電極３２ａ１，３２ａ２間を平衡接続した場合の挿入損失を示すグラフである。
【発明を実施するための形態】
【００１３】
以下、本発明を実施した好ましい形態の一例について説明する。但し、下記の実施形態は、単なる例示である。本発明は、下記の実施形態に何ら限定されない。
【００１４】
また、実施形態等において参照する各図面において、実質的に同一の機能を有する部材は同一の符号で参照することとする。また、実施形態等において参照する図面は、模式的に記載されたものであり、図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１５】
（第１の実施形態）
図１は、本実施形態に係る弾性波フィルタ装置の略図的断面図である。図１に示す弾性波フィルタ装置１は、ＧＳＭ（登録商標）８５０（使用帯域：８６９〜８９４ＭＨｚ）の通信方式に対応した受信フィルタ部、ＧＳＭ（登録商標）９００（使用帯域：９２５〜９６０ＭＨｚ）の通信方式に対応した受信フィルタ部、ＧＳＭ（登録商標）１８００（使用帯域：１８０５〜１８８０ＭＨｚ）の通信方式に対応した受信フィルタ部、ＧＳＭ（登録商標）１９００（使用帯域１９３０〜１９９０ＭＨｚ）の通信方式に対応した受信フィルタ部の合計４つの受信フィルタ部２１〜２４を備えている。なお、弾性波フィルタ装置１は、弾性表面波を利用した弾性表面波フィルタ装置であってもよいし、弾性境界波を利用した弾性境界波フィルタ装置であってもよい。
【００１６】
図１に示すように、弾性波フィルタ装置１は、配線基板１０と、弾性波フィルタチップ１１とを備えている。弾性波フィルタチップ１１は、配線基板１０の実装面１０ａにフリップチップ実装されている。弾性波フィルタチップ１１は、配線基板１０の裏面１０ｂの上に配された電極１３に接続されている。弾性波フィルタチップ１１は、配線基板１０の上に設けられた樹脂製の封止材１２によって封止されている。このように、弾性波フィルタ装置１は、ＣＳＰ（チップサイズパッケージ）構造を有している。なお、本実施形態では、配線基板１０がアルミナからなる例について説明するが、本発明において配線基板の構成材料は特に限定されない。配線基板１０は、例えば、適宜のセラミック材料や樹脂材料により構成することができる。
【００１７】
図２に示すように、弾性波フィルタチップ１１は、圧電基板２０を備えている。圧電基板２０は、矩形状である。圧電基板２０は、例えば、ＬｉＴａＯ３基板、ＬｉＮｂＯ３基板、水晶基板等により構成することができる。本実施形態では、圧電基板２０がＬｉＴａＯ３基板により構成されている場合について説明する。
【００１８】
圧電基板２０の配線基板１０側の表面２０ａの上には、第１のフィルタ電極部２１ａと、第２のフィルタ電極部２２ａと、第３のフィルタ電極部２３ａと、第４のフィルタ電極部２４ａとが配されている。第１のフィルタ電極部２１ａは、第１の弾性波フィルタ部２１を構成している。第２のフィルタ電極部２２ａは、第２の弾性波フィルタ部２２を構成している。第３のフィルタ電極部２３ａは、第３の弾性波フィルタ部２３を構成している。第４のフィルタ電極部２４ａは、第４の弾性波フィルタ部２４を構成している。
【００１９】
第１のフィルタ電極部２１ａは、圧電基板２０の表面２０ａ上に配されており、第１の入力端子３１を構成している第１の入力パッド電極３１ａと、圧電基板２０の表面２０ａ上に配されており、第１の出力端子３２を構成している第１の出力パッド電極３２ａとの間に接続されている。第１の出力パッド電極３２ａは、圧電基板２０の表面２０ａ上に配された２つの平衡出力パッド電極３２ａ１，３２ａ２を含む。
【００２０】
第１の入力パッド電極３１ａと第１のフィルタ電極部２１ａとは、圧電基板２０の表面２０ａ上に配された入力信号配線４１により接続されている。平衡出力パッド電極３２ａ１と第１のフィルタ電極部２１ａとは、圧電基板２０の表面２０ａ上に配された出力信号配線５１ａにより接続されている。平衡出力パッド電極３２ａ２と第１のフィルタ電極部２１ａとは、圧電基板２０の表面２０ａ上に配された出力信号配線５１ｂにより接続されている。
【００２１】
第２のフィルタ電極部２２ａは、圧電基板２０の表面２０ａ上に配されており、第２の入力端子３３を構成している第２の入力パッド電極３３ａと、平衡出力パッド電極３２ａ１，３２ａ２との間に接続されている。
【００２２】
第２の入力パッド電極３３ａと第２のフィルタ電極部２２ａとは、圧電基板２０の表面２０ａ上に配された入力信号配線４２により接続されている。平衡出力パッド電極３２ａ１と第２のフィルタ電極部２２ａとは、出力信号配線５１ａにより接続されている。平衡出力パッド電極３２ａ２と第２のフィルタ電極部２２ａとは、出力信号配線５１ｂにより接続されている。
【００２３】
第３のフィルタ電極部２３ａは、第２の入力パッド電極３３ａと、圧電基板２０の表面２０ａ上に配されており、第２の出力端子３４を構成している第２の出力パッド電極３４ａとの間に接続されている。第２の出力パッド電極３４ａは、圧電基板２０の表面２０ａ上に配された２つの平衡出力パッド電極３４ａ１，３４ａ２を含む。
【００２４】
第２の入力パッド電極３３ａと第３のフィルタ電極部２３ａとは、圧電基板２０の表面２０ａ上に配された入力信号配線４３により接続されている。平衡出力パッド電極３４ａ１と第３のフィルタ電極部２３ａとは、圧電基板２０の表面２０ａ上に配された出力信号配線５２ａにより接続されている。平衡出力パッド電極３４ａ２と第３のフィルタ電極部２３ａとは、圧電基板２０の表面２０ａ上に配された出力信号配線５２ｂにより接続されている。
【００２５】
第４のフィルタ電極部２４ａは、第１の入力パッド電極３１ａと、平衡出力パッド電極３４ａ１，３４ａ２との間に接続されている。
【００２６】
第１の入力パッド電極３１ａと第４のフィルタ電極部２４ａとは、圧電基板２０の表面２０ａ上に配された入力信号配線４４により接続されている。平衡出力パッド電極３４ａ１と第４のフィルタ電極部２４ａとは、出力信号配線５２ａにより接続されている。平衡出力パッド電極３４ａ２と第４のフィルタ電極部２４ａとは、出力信号配線５２ｂにより接続されている。
【００２７】
このように、第１の入力パッド電極３１ａには、第１のフィルタ電極部２１ａと第４のフィルタ電極部２４ａとが共通に接続されている。第２の入力パッド電極３３ａには、第２のフィルタ電極部２２ａと第３のフィルタ電極部２３ａとが共通に接続されている。平衡出力パッド電極３２ａ１，３２ａ２には、第１のフィルタ電極部２１ａと第２のフィルタ電極部２２ａとが共通に接続されている。平衡出力パッド電極３４ａ１，３４ａ２には、第３のフィルタ電極部２３ａと第４のフィルタ電極部２４ａとが共通に接続されている。
【００２８】
第１及び第２の入力パッド電極３１ａ、３３ａは、圧電基板２０の対向する２つの端辺２０Ａ，２０Ｂのうちの一方側の端辺２０Ａに沿って配列されている。第１の出力パッド電極３２ａを構成している平衡出力パッド電極３２ａ１，３２ａ２と、第２の出力パッド電極３４ａを構成している平衡出力パッド電極３４ａ１，３４ａ２とは、圧電基板２０の端辺２０Ｂに沿って配列されている。
【００２９】
第１〜第４のフィルタ電極部２１ａ〜２４ａのそれぞれは、弾性波伝搬方向に沿って配列された複数のＩＤＴ電極２５を備える縦結合共振子型弾性波フィルタ部である。第１〜第４の弾性波フィルタ部２１〜２４のそれぞれは、平衡−不平衡変換機能を有するバランス型のフィルタ部である。入力端子３１，３３から不平衡信号が入力され、平衡出力パッド電極３２ａ１，３２ａ２，３４ａ１，３４ａ２から平衡信号が出力される。
【００３０】
第１〜第４のフィルタ電極部２１ａ〜２４ａを構成している複数のＩＤＴ電極２５のそれぞれは、互いに間挿し合っている一対のくし歯状電極により構成されている。一対のくし歯状電極の一方は、グラウンド電位に接続される。具体的には、第１及び第２のフィルタ電極部２１ａ、２２ａに含まれるＩＤＴ電極の一方のくし歯状電極は、グラウンド電位に接続されるグラウンド電極５１に接続されている。一方、第３及び第４のフィルタ電極部２３ａ、２４ａに含まれるＩＤＴ電極の一方のくし歯状電極は、グラウンド電位に接続されるグラウンド電極５２に接続されている。
【００３１】
また、圧電基板２０の表面２０ａの上には、グラウンド電極５１に接続されたグラウンド配線６１と、グラウンド電極５２に接続されたグラウンド配線６２とが配されている。
【００３２】
なお、弾性波フィルタチップ１１に含まれる配線、パッド電極、ＩＤＴ電極等の電極は、例えば、Ａｌ，Ｐｔ，Ａｕ，Ａｇ，Ｃｕ，Ｎｉ，Ｔｉ，Ｃｒ及びＰｄからなる群から選ばれた金属、もしくは、Ａｌ，Ｐｔ，Ａｕ，Ａｇ，Ｃｕ，Ｎｉ，Ｔｉ，Ｃｒ及びＰｄからなる群から選ばれた一種以上の金属を含む合金により形成することもできる。また、電極は、上記金属や合金からなる複数の導電層の積層体により構成されていてもよい。本実施形態では、電極がＡｌ−Ｃｕ合金により構成されている例について説明する。
【００３３】
入力信号配線４１は、出力信号配線５１ａと隣接している隣接部４１ａを有する。入力信号配線４１は、隣接部４１ａと出力信号配線５１ａとの間の距離よりも、隣接部４１ａとグラウンド配線６１との間の距離の方が短くなるように設けられている。具体的には、グラウンド配線６１は、少なくとも一部が隣接部４１ａと配線基板１０の厚み方向に重畳するように配されている。グラウンド配線６１の隣接部４１ａと重畳している部分と、隣接部４１ａとの間には、絶縁層７１が配されている。この絶縁層７１によって、グラウンド配線６１の隣接部４１ａと重畳している部分と隣接部４１ａとが絶縁されている。
【００３４】
入力信号配線４３は、出力信号配線５２ｂと隣接している隣接部４３ａを有する。入力信号配線４３は、隣接部４３ａと出力信号配線５２ｂとの間の距離よりも、隣接部４３ａとグラウンド配線６２との間の距離の方が短くなるように設けられている。具体的には、グラウンド配線６２は、少なくとも一部が隣接部４３ａと配線基板１０の厚み方向に重畳するように配されている。グラウンド配線６２の隣接部４３ａと重畳している部分と、隣接部４３ａとの間には、絶縁層７２が配されている。この絶縁層７２によって、グラウンド配線６２の隣接部４３ａと重畳している部分と隣接部４３ａとが絶縁されている。
【００３５】
なお、絶縁層７１，７２は、ポリイミド、エポキシ樹脂、アクリル樹脂、セラミック材料などの比誘電率が高い材料により構成することができる。絶縁層７１，７２は、比誘電率が２〜６である材料からなることが好ましい。ここでは、絶縁層７１，７２が、比誘電率が３．５程度であり、比誘電率が２０以上である圧電基板２０よりも比誘電率が小さいポリイミドからなる場合について説明する。
【００３６】
以上説明したように、本実施形態では、隣接部４１ａ、４３ａと出力信号配線５１ａ、５２ｂとの間の距離よりも、隣接部４１ａ、４３ａとグラウンド配線６１，６２との間の距離が短い。このため、通過帯域外の優れた減衰特性を実現することができる。これは以下の理由によるものと考えられる。すなわち、隣接部４１ａ、４３ａと出力信号配線５１ａ、５２ｂとの間の距離よりも、隣接部４１ａ、４３ａとグラウンド配線６１，６２との間の距離が短いため、隣接部４１ａ、４３ａと出力信号配線５１ａ、５２ｂとの間に形成された寄生容量よりも隣接部４１ａ、４３ａとグラウンド配線６１，６２との間に形成された寄生容量が大きくなる。このため、隣接部４１ａ、４３ａと出力信号配線５１ａ、５２ｂとの間に形成された寄生容量を介して、入力信号配線４１，４３から弾性波フィルタ部２１〜２４を経由せずに出力信号配線５１ａ、５２ｂに信号が流れることが抑制され、グラウンド配線６１，６２を経由してグラウンド電位に流れる。その結果、通過帯域外の優れた減衰特性を実現することができるものと考えられる。
【００３７】
この効果について、具体的な、実施例及び比較例に基づいてさらに詳細に説明する。
【００３８】
実施例として、上記実施形態に係る弾性波フィルタ装置１と実質的に同様の構成を有する弾性表面波フィルタ装置を作製した。比較例として、図３に示すようにグラウンド配線６１，６２を有さないこと以外は実施例に係る弾性表面波フィルタ装置と実質的に同様の構成を有する弾性表面波フィルタ装置を作製した。なお、図３に弾性表面波チップの構成を示す比較例に係る弾性表面波フィルタ装置に含まれる構成要件のうち、上記実施形態に係る弾性波フィルタ装置１に含まれる構成要件と実質的に同様の構成を有する部材を同じ符号で参照している。
【００３９】
図４に、第１の入力パッド電極３１ａから平衡出力パッド電極３２ａ１へ信号を印加した場合の挿入損失を示す。図５に、第１の入力パッド電極３１ａから平衡出力パッド電極３２ａ２へ信号を印加した場合の挿入損失を示す。図６に、平衡出力パッド電極３２ａ１，３２ａ２間を平衡接続した場合の挿入損失を示す。図４〜図６においては、点線で示すグラフが実施例を表し、実線で示すグラフが比較例を表している。
【００４０】
図４に示すように、グラウンド配線６１を有する実施例のほうが、比較例よりも、平衡出力パッド電極３２ａ１側で大きく通過帯域外の減衰特性が改善されていることがわかる。一方、図５に示すように、平衡出力パッド電極３２ａ２側は実施例と比較例とで構造が同じであるため、通過帯域外の減衰特性は実施例と比較例とで同等である。しかし、平衡出力パッド電極３２ａ１側と平衡出力パッド電極３２ａ２側とでバランス性が改善されるため、図６に示すように、差動出力では、実施例の方が比較例よりも大きく通過帯域外の減衰特性が改善されている。
【００４１】
以上の結果から、隣接部４１ａ、４３ａと出力信号配線５１ａ、５２ｂとの間の距離よりも、隣接部４１ａ、４３ａとグラウンド配線６１，６２との間の距離を短くなるようにグラウンド配線６１，６２を設けることにより、通過帯域外の優れた減衰特性を実現できることが分かる。特に、本実施形態のように一枚の圧電基板２０上に複数のフィルタ電極部を形成し、圧電基板２０の対向する二辺２０Ａ，２０Ｂに入力パッド電極３１ａ、３３ａと出力パッド電極３２ａ、３３ａとを振り分けて配置する場合は、電位が異なる信号配線が近接する部分が増える。このため、上記通過帯域外の減衰特性の改善効果がより顕著となる。また、グラウンド配線６１，６２は他の配線と同じ形成工程で形成することができ、絶縁層７１，７２も他の立体配線用の絶縁層と同じ形成工程で形成することができる。そのため、新たな工程を追加する必要がないので、弾性波フィルタ装置の製造コストの増大を抑制することができる。
【００４２】
なお、隣接部４１ａ、４３ａとグラウンド配線６１，６２との間に発生する寄生容量の大きさは、隣接部４１ａ、４３ａとグラウンド配線６１，６２との対向面積や絶縁層７１，７２の厚みを変化させることによって調整することができる。
【符号の説明】
【００４３】
１…弾性波フィルタ装置
１０…配線基板
１０ａ…実装面
１０ｂ…裏面
１１…弾性波フィルタチップ
１２…封止材
１３…電極
２０…圧電基板
２０Ａ，２０Ｂ…端辺
２０ａ…表面
２１…第１の弾性波フィルタ部
２１ａ…第１のフィルタ電極部
２２…第２の弾性波フィルタ部
２２ａ…第２のフィルタ電極部
２３…第３の弾性波フィルタ部
２３ａ…第３のフィルタ電極部
２４…第４の弾性波フィルタ部
２４ａ…第４のフィルタ電極部
２５…ＩＤＴ電極
３１…第１の入力端子
３１ａ…第１の入力パッド電極
３２…第１の出力端子
３２ａ…第１の出力パッド電極
３２ａ１，３２ａ２…平衡出力パッド電極
３３…第２の入力端子
３３ａ…第２の入力パッド電極
３４…第２の出力端子
３４ａ…第２の出力パッド電極
３４ａ１，４３ａ２…平衡出力パッド電極
４１〜４４…入力信号配線
４１ａ、４３ａ…隣接部
５１，５２…グラウンド電極
５１ａ、５１ｂ、５２ａ、５２ｂ…出力信号配線
６１，６２…グラウンド配線
７１，７２…絶縁層
【図１】
2013008494.tif 000003
【図２】
2013008494.tif 000004
【図３】
2013008494.tif 000005
【図４】
2013008494.tif 000006
【図５】
2013008494.tif 000007
【図６】
2013008494.tif 000008
【国際調査報告】
2013008494.tif 000009
2013008494.tif 000010
2013008494.tif 000011
2013008494.tif 000012